(57)【特許請求の範囲】
【請求項１】
ランプ保持部を有するソケット本体の長手方向片側の端部近傍を、前記ランプ保持部に接続されるランプと略平行に配置される照明器具のソケット取付け板に固定し、前記ソケット本体を前記取付け板に自立させて取付け可能とした直管蛍光灯ソケットにおいて、前記ソケット本体の側面に設けた弾性片と、前記ソケット本体の固定側で前記弾性片に対向する位置に設けた受け部とを備え、前記ランプ側が開口したコの字状の前記取付板に対して、開口側から前記ソケット本体を移動させることにより、前記弾性片と前記受け部との間の取付け溝にて前記取付け板を挟持して前記ソケット本体を固定可能とするとともに、前記ソケット本体が前記ランプ側へ傾くように、前記取付け溝が、前記ランプの軸に対して傾斜していることを特徴とする直管蛍光灯ソケット。
【請求項２】
取付け溝に凹凸がない請求項１記載の直管蛍光灯ソケット。
【発明の詳細な説明】
【０００１】
【発明の属する技術分野】
この発明は、直管蛍光灯ソケットに関するものである。
【０００２】
【従来の技術】
従来の直管蛍光灯ソケットとして、例えば特開２０００−１０６０２６に示す開示技術がある。これはランプを回動操作して装着する際の不完全な装着による接続不良を防止するものである。また、図８に示すように、ランプ保持部５３を有するソケット本体５０の固定側の端部をランプ軸方向へ突出させた先端部に凸部５１を設け、ソケット本体５０の側面に取付け部５２を設けた従来例がある。このソケットを取付ける取付け板には角穴が設けられ、図９に示すように、取付け部５２の弾性片５５とその受け部５６にて取付け板５４を挟持する。この際、凸部５１が取付け板５４に当接することでソケットを前傾して取付け、ランプの寸法のばらつきを吸収する構造にしていた。
【０００３】
【発明が解決しようとする課題】
しかしながら、上記従来例では、ソケットを前傾するために、取付け板５４に角穴を設け、ソケットの凸部５１に当接する面が必要であった。一方、ソケットの取付け作業性の良いスライド取付けでは、ランプ軸方向に開口したコの字状の取付け板を用いるが、この取付け板では凸部５１が当接する面がないのでソケットを前傾することができなかった。そのため、角穴に取付けるスナップイン取付を余儀なくされていた。
【０００４】
また、スナップイン取付けでは、凸部５１が取付け板に当ってソケットが前傾するため、大きな取付け板が必要であるとともに、凸部５１を設けるためにソケット本体５０の固定側の端部の幅を大きくする必要がある。なお、この従来例でスライド取付けにするには、別の前傾手段が必要である。また、図８では、取付け部５２の溝に段差５６ａがあるため引っ掛かる。
【０００５】
したがって、この発明の目的は、取付け作業性が良いスライド取付けが可能で、ソケット本体を取付ける取付け板を小さくできる直管蛍光灯ソケットを提供することである。
【０００６】
【課題を解決するための手段】
上記課題を解決するためにこの発明の請求項１記載の直管蛍光灯ソケットは、ランプ保持部を有するソケット本体の長手方向片側の端部近傍を、前記ランプ保持部に接続されるランプと略平行に配置される照明器具のソケット取付け板に固定し、前記ソケット本体を前記取付け板に自立させて取付け可能とした直管蛍光灯ソケットにおいて、前記ソケット本体の側面に設けた弾性片と、前記ソケット本体の固定側で前記弾性片に対向する位置に設けた受け部とを備え、前記ランプ側が開口したコの字状の前記取付板に対して、開口側から前記ソケット本体を移動させることにより、前記弾性片と前記受け部との間の取付け溝にて前記取付け板を挟持して前記ソケット本体を固定可能とするとともに、前記ソケット本体が前記ランプ側へ傾くように、前記取付け溝が、前記ランプの軸に対して傾斜している。
【０００７】
このように、ソケット本体の側面に設けた弾性片と、ソケット本体の固定側で弾性片に対向する位置に設けた受け部とを備え、ランプ側が開口したコの字状の取付板に対して、開口側からソケット本体を移動させることにより、弾性片と受け部との間の取付け溝にて取付け板を挟持してソケット本体を固定可能とするとともに、ソケット本体がランプ側へ傾くように、取付け溝が、ランプの軸に対して傾斜しているので、ランプの寸法のばらつきを吸収できるとともに、ソケットの取付け作業性の良いスライド取付けが可能である。また、従来よりある角穴に取付けるスナップイン取付けも可能である。
【０００８】
また、スライド取付けが可能なため、ソケット本体を取付ける取付け板は小さくてよく、かつ取付け板に固定する側のソケット本体の端部の幅も小さくてよい。また、ソケットのみで前傾が可能なため、照明器具側の設計および製造が容易である。
【０００９】
請求項２記載の直管蛍光灯ソケットは、請求項１記載の直管蛍光灯ソケットにおいて、取付け溝に凹凸がない。このように、取付け溝に凹凸がないので、スライド取付けのとき引っ掛かることがない。
【００１０】
【発明の実施の形態】
この発明の実施の形態を図１ないし図６に基づいて説明する。図１はこの発明の実施の形態の直管蛍光灯ソケットの説明図、図２はこの発明の実施の形態の直管蛍光灯ソケットの斜視図、図３（ａ）はこの発明の実施の形態の直管蛍光灯ソケットの正面図、（ｂ）は平面図、（ｃ）は底面図、（ｄ）は背面図である。
【００１１】
図１〜３に示すように、この直管蛍光灯ソケットは、ランプ保持部２を有するソケット本体１の長手方向片側の端部近傍を、ランプ保持部２に接続される直管蛍光灯ランプ８と略平行に配置される照明器具のソケット取付け板３に固定し、ソケット本体１を取付け板３に自立させて取付け可能としている。
【００１２】
取付け板３は、図４および図６等に示すように、ランプ８の軸Ａ方向に開口したコの字状の金属板等である。ソケット本体１は樹脂等で略直方体に形成され、取付け板３にスライド取付けができるように、ソケット本体１の両側面に一対の取付け部４，４が設けてある。各取付け部４はソケット本体１の側面から突出して設けた弾性片５とその受け部６とからなり、取付け板３の対向する両側部３ａを弾性片５と受け部６にて挟持してソケット本体１を固定することができる。また、ソケット本体１がランプ２側へ傾くように、弾性片５とその受け部６との間の取付け溝７が、ランプ８の軸Ａに対して傾斜している。この場合、図１に示すように、ランプ装着状態で取付け溝７に差し込まれる取付け板３とランプ保持部２のランプ当接面２ａの角度（ランプ本体１の傾斜角度）θを約８８°に設定してある。
【００１３】
また、図２および図３に示すように、ランプ保持部２には、ランプピンを接続する回転子９が回転自在に埋設してある。回転子９はランプ保持部２の先端に設けた挿入部１０よりランプピンを挿入して回転することで接続されるように構成される。また、ソケット本体１の固定側の端部１ａに、電線挿入穴１１が設けられている。この端部１ａの両側に受け部６が一体に形成されている。また、従来のように凸部を設ける必要がないので、端部１ａをランプ軸Ａ方向へ突出させる寸法が短くてよい。
【００１４】
上記構成の直管蛍光灯ソケットは、図６に示すように、スライド取付けによりソケットを矢印の方向へ移動して取付ける。すなわち、ソケット本体１の取付け溝７に取付け板３の両側部３ａを差し込み、取付け部４の弾性片５と受け部６で取付け板３を挟み込んで固定する。これにより、図５に示すように、ソケット本体１のランプ保持部２がランプ８側へ傾斜し、ランプ８の長さ寸法のばらつきに対応できる。この場合、ランプ本体１の傾斜角度θが約８８°であり、接続されるランプ８の長さ寸法に応じて弾性片５が変形してランプ本体１が起き上がる。ランプ８の接続状態でランプ本体１の傾斜角度θが８８°から９０°の範囲でもソケット本体１がランプ８を押し付ける方向に付勢されているので、確実に接続することができる。
【００１５】
また、図７に示すように、スナップイン取付けもできる。この場合、取付け板３にソケット本体１を挿入可能な角穴１２が設けてあり、ソケットを矢印の方向へ移動して取付ける。また、弾性片５は取付け溝７の側を向いた上斜面５ａと反対側を向いた下斜面５ｂとを有する断面形状が山形であり、上記のスライド取付けにも兼用できる構造である。取付け時には、ソケット本体１を角穴１２に挿入する。このとき、取付け板３の両側部３ａが弾性片５を変形させながら下斜面５ｂを乗り越え、弾性復帰することで弾性片５の上斜面５ａと受け部６で取付け板３を挟み込んで固定する（図３（ｄ））。
【００１６】
以上のようにこの実施の形態によれば、ランプ８の寸法のばらつきを吸収できるとともに、ソケット８の取付け作業性の良いスライド取付けが可能である。また、従来よりある角穴１２に取付けるスナップイン取付けも可能である。
【００１７】
また、スライド取付けが可能なため、ソケット本体１を取付ける取付け板３は小さくてよく、かつ取付け板３に固定する側のソケット本体１の端部１ａの幅も小さくてよい。また、ソケットのみで前傾が可能なため、照明器具側の設計および製造が容易である。取付け溝７に凹凸がないので、スライド取付けのとき引っ掛かることがない。
【００１８】
【発明の効果】
この発明の請求項１記載の直管蛍光灯ソケットによれば、ソケット本体の側面に設けた弾性片と、ソケット本体の固定側で弾性片に対向する位置に設けた受け部とを備え、ランプ側が開口したコの字状の取付板に対して、開口側からソケット本体を移動させることにより、弾性片と受け部との間の取付け溝にて取付け板を挟持してソケット本体を固定可能とするとともに、ソケット本体がランプ側へ傾くように、取付け溝が、ランプの軸に対して傾斜しているので、ランプの寸法のばらつきを吸収できるとともに、ソケットの取付け作業性の良いスライド取付けが可能である。また、従来よりある角穴に取付けるスナップイン取付けも可能である。
【００１９】
また、スライド取付けが可能なため、ソケット本体を取付ける取付け板は小さくてよく、かつ取付け板に固定する側のソケット本体の端部の幅も小さくてよい。また、ソケットのみで前傾が可能なため、照明器具側の設計および製造が容易である。
【００２０】
請求項２では、取付け溝に凹凸がないので、スライド取付けのとき引っ掛かることがない。
【図面の簡単な説明】
【図１】この発明の実施の形態の直管蛍光灯ソケットの説明図である。
【図２】この発明の実施の形態の直管蛍光灯ソケットの斜視図である。
【図３】（ａ）はこの発明の実施の形態の直管蛍光灯ソケットの正面図、（ｂ）は平面図、（ｃ）は底面図、（ｄ）は背面図である。
【図４】この発明の実施の形態の直管蛍光灯ソケットを照明器具に取付けた状態の斜視図である。
【図５】この発明の実施の形態の直管蛍光灯ソケットにランプを接続した状態の説明図である。
【図６】この発明の実施の形態の直管蛍光灯ソケットをスライド取付けする場合の説明図である。
【図７】この発明の実施の形態の直管蛍光灯ソケットをスナップイン取付けする場合の説明図である。
【図８】従来例の斜視図である。
【図９】従来例の作用説明図である。
【符号の説明】
１  ソケット本体
２  ランプ保持部
３  取付け板
４  取付け部
５  弾性片
６  受け部
７  取付け溝
８  ランプ
【図１】
0004037648.tif 000002
【図２】
0004037648.tif 000003
【図３】
0004037648.tif 000004
【図４】
0004037648.tif 000005
【図５】
0004037648.tif 000006
【図６】
0004037648.tif 000007
【図７】
0004037648.tif 000008
【図８】
0004037648.tif 000009
【図９】
0004037648.tif 000010